(57)【特許請求の範囲】
【請求項１】
留具本体の端部に螺子軸が一体に形成され、該螺子軸の先端部には止金具を挿通し得る透孔が開設され、留具本体の両側面には電線が巻回される複数の軸部が一体に形成され、該軸部の先端に鍔部が前記螺子軸の基部の両側に張り出すように形成され、該螺子軸に締付ナットが螺締されるようにしたＤＶ線引留具において、螺子軸の基部に窪部を形成し、該窪部内底面から弾性リブを突設し、締付ナットを螺締したとき該締付ナットが該弾性リブに圧着することにより該締付ナットの緩みが防止されるとともに前記軸部に巻回された電線が鍔部と該締付ナットとによって脱落不能に囲われるようにしたことを特徴とする合成樹脂製のＤＶ線引留具。
【請求項２】
螺子軸の基部の両側対称位置に窪部を形成し、該窪部内底面から弾性リブを突設したことを特徴とする請求項１に記載のＤＶ線引留具。
【請求項３】
弾性リブは軸方向に長い薄手板状に形成されたものであることを特徴とする請求項１または２に記載のＤＶ線引留具。
【発明の詳細な説明】
【０００１】
【発明の属する技術分野】
本発明は、電線等の引込線を家屋等に引き込むに際し、該引込線を係留するための合成樹脂製のＤＶ線引留具に関するものである。
【０００２】
【従来の技術】
電線を家屋等に引き込むに際して使用されるＤＶ線引留具は、特開平７−２９８４６４号公報，特開平９−２２４３２０号公報，特開平９−３０８０６６号公報等により知られているように、留具本体の端部に螺子軸が一体に形成され、該螺子軸の先端部には止金具を挿通し得る透孔が開設され、留具本体の両側面には電線が巻回される複数の軸部が一体に形成され、該軸部の先端に形成された鍔部が前記螺子軸の基部の両側に張り出しており、該螺子軸に螺合した締付ナットを螺締することで電線が挟着されるようにしたもので、上記ＤＶ線引留具の本体および締付ナットは、従来からＡＢＳ樹脂等の合成樹脂により成形されている。
【０００３】
【発明が解決しようとする課題】
ところで、上記締付ナットは、締付力が弱いと振動等により緩むおそれがあり、また、強く締め付けすぎると電線のビニル被覆等をはがしてしまうおそれがあるという問題があった。
そこで本発明は、電線を傷つけるような過剰な締付ナットの締付が防止されるとともに、振動等により該締付ナットが緩むおそれも可及的に解消されるＤＶ線引留具を提供しようとするものである。
【０００４】
【課題を解決するための手段】
そのために本発明に係るＤＶ線引留具は、留具本体の端部に螺子軸が一体に形成され、該螺子軸の先端部には止金具を挿通し得る透孔が開設され、留具本体の両側面には電線が巻回される複数の軸部が一体に形成され、該軸部の先端に鍔部が前記螺子軸の基部の両側に張り出すように形成され、該螺子軸に締付ナットが螺締されるようにしたＤＶ線引留具において、螺子軸の基部に窪部を形成し、該窪部内底面から弾性リブを突設し、締付ナットを螺締したとき該締付ナットが該弾性リブに圧着することにより該締付ナットの緩みが防止されるとともに前記軸部に巻回された電線が鍔部と該締付ナットとによって脱落不能に囲われるようにしたことを特徴とする。
また本発明は上記ＤＶ線引留具において、螺子軸の基部の両側対称位置に窪部を形成し、該窪部内底面から弾性リブを突設したことを特徴とする。
また本発明は上記ＤＶ線引留具において、弾性リブは軸方向に長い薄手板状に形成されたものであることを特徴とする。
【０００５】
【発明の実施の形態】
以下に本発明の実施の形態を図面と共に説明する。図１は本発明に係るＤＶ線引留具の斜視図、図２はその締付ナット２と留具本体３の分解斜視図、図３はその使用状態を示した斜視図、図４は使用状態のＤＶ線引留具の縦断面図、図５は図４のＡ−Ａ線断面図である。留具本体３はその端部に螺子軸４が一体に形成されたＡＢＳ樹脂製のもので、該螺子軸４の先端部に止金具５を挿通し得る長孔状の透孔６が開設されている。また、留具本体３の両側面には電線７が巻回される一対の軸部８，８と一対の軸部９，９と一対の軸部１０，１０が夫々対称位置に形成され、該各軸部の先端には鍔部８′，８′，鍔部９′，９′，鍔部１０′，１０′が形成され、前記螺子軸４寄りに形成された軸部１０，１０の鍔部１０′，１０′は該螺子軸４の基部の両側に張り出している。
【０００６】
そして、螺子軸の基部の両側対称位置に前記透孔６と連なるような形態で窪部１１，１１を形成し、該窪部内底面から弾性リブ１２，１２を突設している。該弾性リブ１２，１２は厚さ２ｍｍ、高さ７ｍｍ程度の薄手板状（翼形）に形成されたもので、この形状から必要とする弾力性および強度を備えている。
また、締付ナット２は内周面に螺子軸４に螺合し得る螺子溝が形成されたＡＢＳ樹脂製のもので、これを螺子軸４に螺締することで該締付ナットの端面が上記弾性リブ１２，１２に圧着し該弾性リブ１２，１２を弾性変形させ得る。
【０００７】
このため、締付ナット２を螺子軸４に螺締することにより、図３〜図５に使用状態を示したように、軸部１０，１０に巻回された電線７は鍔部１０′，１０′と締付ナット２の端面によって囲われ、該軸部１０，１０からの脱落が防がれる。即ち、ＤＶ線である電線７は、自らの形状保持性によって鍔部１０′，１０′と締付ナット２によって囲われることにより軸部１０，１０に巻回された状態に保持され、脱落することがない。また、締付ナット２によって電線７のビニル被覆等がはがされることもない。またこの状態で締付ナット２は弾性リブ１２，１２に圧着し該弾性リブから常に反力を受けることから、風等による振動によっても締付が緩むことなく電線７を長期間安定して係留し得る。
【０００８】
また、上記弾性リブ１２，１２は窪部１１，１１内底面から突設され、必要な高さが確保されることから充分な弾力性が備えられ、該締付ナット２を該弾性リブ１２，１２に圧着させることにより常に緊張状態にし得るので、締付を一層緩み難くしている。
また、弾性リブ１２，１２は軸方向に長い薄手板状に形成されていることから締付ナット２の端面との圧着面の摩擦抵抗が大きくなり、このことも緩みを防ぐことに寄与している。
【０００９】
ちなみに、上記締付ナット２を２０Ｋｇ・ｃｍのトルクにて弾性リブ１２，１２に締付け、これを振動試験機により振幅５ｍｍ，振動数９００回／分の設定で、水平方向および垂直方向に振動させたところ、水平方向，垂直方向ともに５時間経過しても該締付ナットが緩むことはなく、非常に満足すべき結果が得られた。
【００１０】
また、締付ナット２を締付るのにはスパナ等の工具は要さず、通常の作業者が手で掴んで回すだけで常に適度な締付状態となるので作業性が高い。
【００１１】
【発明の効果】
このように本発明に係るＤＶ線引留具は、留具本体の端部に螺子軸が一体に形成され、該螺子軸の先端部には止金具を挿通し得る透孔が開設され、留具本体の両側面には電線が巻回される複数の軸部が一体に形成され、該軸部の先端に鍔部が前記螺子軸の基部の両側に張り出すように形成され、該螺子軸に締付ナットが螺締されるようにしたＤＶ線引留具において、螺子軸の基部に窪部を形成し、該窪部内底面から弾性リブを突設し、締付ナットを螺締したとき該締付ナットが該弾性リブに圧着することにより該締付ナットの緩みが防止されるとともに前記軸部に巻回された電線が鍔部と該締付ナットとによって脱落不能に囲われるようにしたので、締付ナットがたとえ必要以上にきつく締付けられてもこれに
よって電線が傷つくことなく、また、弾性リブの反力によって締付ナットが緩むおそれが
解消されるので、長期間にわたり確実に電線を係留し得る有益な効果がある。
【図面の簡単な説明】
【図１】本発明に係るＤＶ線引留具の斜視図。
【図２】図１のＤＶ線引留具の分解斜視図。
【図３】図１のＤＶ線引留具の使用状態を示した斜視図。
【図４】使用状態のＤＶ線引留具の縦断面図。
【図５】図４のＡ−Ａ線断面図。
【符号の説明】
２                    締付ナット
３                    留具本体
４                    螺子軸
５                    止金具
６                    透孔
７                    電線
８，９，１０          軸部
８′，９′，１０′    鍔部
１１                  窪部
１２                  弾性リブ
【図１】
0003574441.tif 000002
【図２】
0003574441.tif 000003
【図３】
0003574441.tif 000004
【図４】
0003574441.tif 000005
【図５】
0003574441.tif 000006